(57)【要約】【課題】建築物用のコンクリート基礎に関するもので、工場生産されたコンクリートブロックその他の断面Ｕ字形の枠材と現場打コンクリートとで形成される、従来の布基礎やべた基礎とは全く異なる技術思想に基づく建築基礎を提案する。【解決手段】外側板１ａと内側板１ｂとの間にコンクリート充填間隙１ｄを備え、かつ内側板１ｂに内部空間１５と充填間隙１ｄとを連通する連通部１１を開設した、外壁用Ｕ形枠の複数個が、建物の外壁下縁に沿って配置され、内壁用コンクリート充填間隙２ｄを両側板２ａ間に備え、かつ両側板２ａに内部空間１５と充填間隙２ｄとを連通する連通部１１を形成した、内壁用Ｕ形枠２が内部耐力壁下縁に沿って配置され、前記充填間隙１ｄ、２ｄ及び内部空間１５に現場打コンクリートを流入固化してその上面を同一面とした。【選択図】      図１
2006283449.tif 000002
【特許請求の範囲】
【請求項１】
外側板(1a)と内側板(1b)との間に外壁用コンクリート充填間隙(1d)を備え、かつ内側板(1b)には当該内側板で仕切られる内部空間(15)と前記充填間隙とを連通する連通部(11)を開設した、外壁用Ｕ形枠の複数個が、建物の外壁下縁に沿って当該ブロックの端部相互を連接して配置され、内壁用コンクリート充填間隙(2d)を両側板(2a,2a)間に備え、かつ両側板(2a,2a)には共に当該側板で仕切られる内部空間(15)と前記内壁用充填間隙とを連通する連通部(11,11)を形成した、内壁用Ｕ形枠(2)の複数個が、建物内部の耐力壁下縁に沿って当該ブロックの端部相互を連接して配置されており、前記充填間隙(1d,2d)及び内部空間(15)に現場打コンクリートを流入固化してその上面を同一面とした、建築基礎。
【請求項２】
前記外壁用Ｕ形枠が、丈高い外側板(1a)と丈低い内側板(1b)とを備えた断面非対称Ｕ形枠であり、前記内壁用Ｕ形枠が、前記外壁用Ｕ形枠の内側板(1b)より更に丈低い両側板(2a,2a)を備えた断面対称Ｕ形枠であり、両Ｕ形枠が前記内側板の上縁と前記両側板の上縁とを同一高さにして配置され、当該内側板の上方と当該両側板の上方とに、前記外側板と内側板の高さの差に相当する高さの前記連通部(11)が形成されている、請求項１記載の建築基礎。
【請求項３】
前記内部空間(15)の底面並びに外壁用Ｕ形枠の内側板外面及び内壁用Ｕ形枠の両側板外面に断熱材層(13)を備えている、請求項１又は２記載の建築基礎。
【発明の詳細な説明】
【技術分野】
【０００１】
この発明は、建築物用のコンクリート基礎に関するもので、工場生産されたコンクリートブロックその他の断面Ｕ字形の枠材と現場打コンクリートとで形成される建築基礎に関するものである。
【背景技術】
【０００２】
一般住宅等の小規模建築物の基礎には、布基礎とべた基礎とが主に用いられている。布基礎は、建築しようとする住宅等の外壁及び内部耐力壁の下方となる地盤部分に、これらの壁の延在方向に沿って上面を平らにしたコンクリートの畝状の立ち上がり部を形成したものである。べた基礎は、建物の下方の地盤表面全体をコンクリートで覆って底盤を形成し、この底盤上に布基礎の場合と同様なコンクリートの畝状の立ち上がり部を底盤と一体にして形成したものである。両基礎とも、形成された畝状の立ち上がり部の上面に建物の土台が配置され、この土台に柱や垂木が取り付けられる。
【０００３】
従来、このような布基礎やべた基礎の殆どは、現場打コンクリートで形成されている。即ち、建築しようとする建物の床下部分の内側に適宜土盛りやコンクリート盛りをして、周囲地面より高くした地盤やコンクリート底盤を形成する。次に建物の外壁と内部耐力壁の下方となる部分の地盤ないし底盤上に、現場で２枚の型枠板を所定の間隔を隔てて対向させて立設固定することにより、立ち上がり部を成形するための型枠を組み立て、この型枠にコンクリートを流し込んで上面をこて仕上げするというものである。
【０００４】
しかし、現場打コンクリートは、現場で型枠を組み立てるのに手数がかかり、型枠板を設置する作業者の熟練度により外観に優劣を生じやすく、土台を載置する立ち上がり部上面の平面度が必ずしも十分でないという問題があった。そこで本願出願人は、下記特許文献１及び２において、工場生産されたコンクリートブロックと現場打コンクリートとを組合わせた布基礎やべた基礎を提案している。
【特許文献１】特開２００３−９６７９２号公報
【特許文献２】特開２００２−３６４００１号公報
【発明の開示】
【発明が解決しようとする課題】
【０００５】
この発明は、上記で提案した工場生産されたコンクリートブロックと現場打コンクリートとの組合わせ構造の基礎を更に改良かつ拡張して、従来の布基礎やべた基礎とは全く異なる技術思想に基づく建築基礎を提案することを課題としている。
【課題を解決するための手段】
【０００６】
本願請求項１の発明は、外側板１ａと内側板１ｂとの間に外壁用コンクリート充填間隙１ｄを備え、かつ内側板１ｂには当該内側板で仕切られる内部空間１５と前記充填間隙とを連通する連通部１１を開設した、外壁用Ｕ形枠の複数個が、建物の外壁下縁に沿って当該ブロックの端部相互を連接して配置され、内壁用コンクリート充填間隙２ｄを両側板２ａ、２ａ間に備え、かつ両側板２ａ、２ａには共に当該側板で仕切られる内部空間１５と前記内壁用充填間隙とを連通する連通部１１、１１を形成した、内壁用Ｕ形枠２の複数個が、建物内部の耐力壁下縁に沿って当該ブロックの端部相互を連接して配置されており、前記充填間隙１ｄ、２ｄ及び内部空間１５に現場打コンクリートを流入固化してその上面を同一面とした建築基礎を提供することにより、上記課題を解決したものである。
【０００７】
本願請求項２の発明は、上記請求項１記載の建築基礎における連通部１１の形成態様に特徴がある建築基礎に関するもので、前記外壁用Ｕ形枠が、丈高い外側板１ａと丈低い内側板１ｂとを備えた断面非対称Ｕ形枠であり、前記内壁用Ｕ形枠が、前記外壁用Ｕ形枠の内側板１ｂより更に丈低い両側板２ａ、２ａを備えた断面対称Ｕ形枠であり、両Ｕ形枠が前記内側板の上縁と前記両側板の上縁とを同一高さにして配置され、当該内側板の上方と当該両側板の上方とに、前記外側板と内側板の高さの差に相当する高さの前記連通部１１が形成されていることを特徴とする、請求項１記載の建築基礎である。
【０００８】
本願の請求項３の発明は、上記請求項１又は２記載の建築基礎における床下暖房の効率改善を目的とするもので、前記内部空間１５の底面並びに外壁用Ｕ形枠の内側板外面及び内壁用Ｕ形枠の両側板外面に断熱材層１３を備えていることを特徴とする、請求項１又は２記載の建築基礎である。
【０００９】
上記構造を備えたこの発明の建築基礎は、外壁用Ｕ形枠１の複数個を、建築しようとする建物の外壁に沿ってその地盤１２ｂ上に外側板１ａを外側にしてかつそれらのＵ形枠１の小口端相互を連接して配置し、内壁用Ｕ形枠２の複数個を、建築しようとする建物の内部耐力壁に沿ってその地盤１２ａ上に小口端相互を連接して配置し、これらのＵ形枠のコンクリート充填間隙１ｄ、２ｄに鉄筋１６及びアンカーボルト１７を配置すると共に、これらのＵ形枠で囲まれた内部空間１５に必要に応じて鉄筋１６を配置して、更に好ましくは上記内部空間１５の底面並びに外壁用Ｕ形枠の内側板１ｂの外面及び内壁用Ｕ形枠の両側板２ａの外面に断熱材層１３を配置した後、上記内部空間１５及び充填間隙１ｄ、２ｄにコンクリートを流し込んで固化させることにより構築される。
【００１０】
外壁用Ｕ形枠及び内壁用Ｕ形枠は、工場生産されたコンクリート枠が適しているが、その他の材料として、プラスチック枠、木枠なども利用できる。特に再生プラスチックや間伐材を利用してＵ形枠を製造することにより、廃棄されている資源の有効利用を図ることができる。
【００１１】
建物の外壁の角部は、外壁用Ｕ形枠１の幅と略等しい辺長を備えた正方形の底板の隣接２辺に平面Ｌ形に外側板１ａと同じ高さの側板３ａを一体形成した外コーナー枠３や、外壁用Ｕ形枠１の幅と略等しい辺長を備えた正方形の底板の隣接２辺に内側板１ｂと同じ高さの側板４ａを一体形成した内コーナー枠４を用いて連接する。
【００１２】
また、外壁と内部耐力壁がＴ型に連接する部分には、例えば内側板１ｂに内壁用Ｕ形枠２のコンクリート充填間隙２ｄに連なる連通開口１ｅを設けた外壁用Ｕ形枠を用いて、外壁用Ｕ形枠のコンクリート充填間隙１ｄと内壁用Ｕ形枠のコンクリート充填間隙２ｄとが連通されるようにする。建物の内部耐力壁同士がＴ型に連接する部分にも、同様に側板２ａに内壁用Ｕ形枠２のコンクリート充填間隙２ｄに連なる連結開口２ｅを設けた内壁用Ｕ形枠を用いて、連接する内壁用Ｕ形枠のコンクリート充填間隙２ｄ相互を連通させることができる。内壁用Ｕ形枠２が十字型に連接する部分は、四方の内壁用Ｕ形枠の木口端相互を当接させて、それらのコンクリート充填間隙２ｄ相互が連通されるようにする。このような構造により、連接したＵ形枠１、２のコンクリート充填間隙１ｄ、２ｄ相互を連通して、その中に配置される鉄筋やコンクリートで一体化することが、基礎の強度を確保する上で重要である。
【００１３】
なお、浴室やトイレの下部などの床下配管が設けられる部分には、上縁を外壁用Ｕ形枠の外側板１ａの上縁と同一高さにした断面Ｌ形のブロックで当該部分囲んでおき、その囲まれた領域内に上面が周囲より低くなる量のコンクリートを流し込んで、基礎上面に配管用の凹所を形成する。
【発明の効果】
【００１４】
この発明の建築基礎は、工場生産されたコンクリートブロックその他の材料からなるＵ形枠を現場打コンクリートの型枠として用いるので、強固で寸法の正確な基礎を容易に構築できるという効果がある。そして、この発明のコンクリート基礎は、外壁用Ｕ形枠１及び内壁用Ｕ形枠２のコンクリート充填間隙１ｄ、２ｄに鉄筋コンクリートの地中梁が形成され、またこの地中梁の幅方向の厚さを厚くでき、全体重量も増し、基礎としての安定性が極めて高い。更に地中梁の幅を厚くできることから、梁の鉄筋をダブルにすることができ、基礎に高い強度を付与できる。
【００１５】
更に、基礎の上面がフラットなので、上屋の築造作業が安全に行える。また、床下空間が少ないので、床暖房をする場合の熱効率が良く、特に床下となる内部空間１５に断熱層１３を設けることにより、効果的な床暖房が可能であるという効果がある。
【発明を実施するための最良の形態】
【００１６】
以下、図面を参照してこの発明を更に説明する。図１はこの発明の方法で構築された建築基礎の部分断面図である。建物の床下部分となる領域は、建物の外壁に沿って配置した外壁用Ｕ形枠１で囲まれ、その内側の建物の内部耐力壁を設ける部分に、内壁用Ｕ形枠２が配置されている。
【００１７】
図示実施形態の外壁用Ｕ形枠１及び内壁用Ｕ形枠２は、両側の側板１ａ、１ｂ及び２ａ、２ａの下縁を底板１ｃ、２ｃで一体に連結した所定長の断面Ｕ字形コンクリートブロックで、両側板１ａ、１ｂ及び２ａ、２ａの間に所定間隔のコンクリート充填間隙１ｄ、２ｄを備えている。外壁用Ｕ形枠１の内側の側板（内側板）１ｂは、外側の側板（外側板）１ａより丈が低く、低くなった上縁の上部が外壁用Ｕ形枠１で仕切られた内部空間１５に連通する連通部１１となっている。内壁用Ｕ形枠２の側板２ａ、２ａは、外壁用Ｕ形枠の内側板１ｂより更に高さが低い。内壁用Ｕ形枠２は、その側板２ａ、２ａの上縁が外壁用Ｕ形枠の内側板１ｂの上縁と等しい高さとなるように設置され、その上縁上部に、内壁用Ｕ形枠２で仕切られた内部空間１５に連通する連通部１１が形成される。
【００１８】
内壁用Ｕ形枠２は、地表面ＧＬを浅く掘削して、上面を地表面ＧＬと略同一高さとした砕石層１２ａ上にモルタル層１８を介して配置する。外壁用Ｕ形枠１は、建物の外壁に沿って地表面ＧＬを掘削し、内側板１ｂの上縁が前記のように配置した内壁用Ｕ形枠の側板２ａの上縁と同一高さとなるように敷設した砕石層１２ｂ上にモルタル層１８を介して配置する。
【００１９】
外壁用Ｕ形枠１は、それらの長手端相互を連接して、建物の床下となる部分を囲むように配置する。外壁の角部は、図２（ａ）、（ｂ）に示すように、外壁用Ｕ形枠１の幅と略等しい辺長の正方形の底板の隣接する両辺に、外側板１ａ又は内側板１ｂと同じ高さの側板３ａ、４ａを平面Ｌ形に一体成形した外コーナーブロック３及び内コーナーブロック４を用いて連結する。
【００２０】
内壁用Ｕ形枠２は、それらの長手端相互を連接して、建物の内側耐力壁の下になる部分に配置する。内壁用Ｕ形枠２の長手端が外壁用Ｕ形枠１の側面に当接する部分には、図３に示すように、内側板１ｂに内壁用Ｕ形枠のコンクリート充填間隙２ｄに連通する連通開口１ｅを設けた外壁用Ｕ形枠１を用い、当該連通開口１ｅとこれに当接する内壁用Ｕ形枠のコンクリート充填間隙２ｄが連通するようにして連接する。内側Ｕ形枠２相互が平面Ｔ形に連接する部分も、図４に示すように、側壁２ａに内壁用Ｕ形枠のコンクリート充填間隙２ｄに連通する連通開口２ｅを設けた内壁用Ｕ形枠２を用い、当該連通開口２ｅとこれに当接する内壁用Ｕ形枠のコンクリート充填間隙２ｄが連通するようにして連接する。内壁用Ｕ形枠２相互が平面十字形に交差する部分は、図５に示すように、四方の内壁用Ｕ字枠２の長手端相互を突合わせて、それらのコンクリート充填間隙２ｄ相互を連通させる。
【００２１】
そして、外壁用Ｕ形枠１及び内壁用Ｕ形枠２で囲まれた内部空間１５に低い盛土をして、当該空間を包囲するＵ形枠の側壁に断熱マット１３を沿わせた状態で、その盛土の上に砕石１２ｃを敷き、更にその上に上面１４が内壁用Ｕ形枠の側板２ａの上縁及び外壁用Ｕ形枠の内側板１ｂの上縁と等しい高さとなるように、断熱マット１３を敷設する。
【００２２】
次に外壁用Ｕ形枠１及び内壁用Ｕ形枠２の両側板間に形成されているコンクリート充填間隙１ｄ、２ｄにダブルの、すなわち梁の幅方向に間隔を開けて２本並べた鉄筋１６を配置し、このダブルの鉄筋の間にアンカーボルト１７を配置し、更に必要に応じてこれらのブロックで囲まれた内部空間１５にも鉄筋１６を配置して、当該間隙１ｄ、２ｄ及び内部空間１５に現場打コンクリート１９を打設し、当該コンクリートの上面が外壁用Ｕ形枠の外側板１ａの上縁と同一高さになるように均し、コンクリートを固化させる。
【００２３】
流し込んだコンクリートが固化したら、外壁用Ｕ形枠１及び内壁用Ｕ形枠２の上部となる部分に土台２０をアンカーボルト１７で固定し、その土台間に大引２１を渡して、以下、従来方法と同様にして建物を建築する。
【００２４】
なお上記実施形態は、外壁用Ｕ形枠の内側板１ｂ及び内壁用Ｕ形枠の両側板２ａ、２ａの上縁の高さが外壁用Ｕ形枠の外側板１ａの上縁より、鉄筋を配置可能な程度に低くなるようにＵ形枠を配置することで、外壁用Ｕ形枠の充填間隙１ｄ及び内壁用Ｕ形枠の充填間隙２ｄとこれらに囲まれた内部空間１５との間に現場打コンクリートが充填される連通部１１を形成しているが、外壁用Ｕ形枠の内側板１ｂ及び内壁用Ｕ形枠の両側板２ａ、２ａに上縁を切欠いた窓を設けて連通部１１とすることもできる。要は、外壁用Ｕ形枠１及び内壁用Ｕ形枠を所定の配置高さで配置したときに、ブロック１、２の充填間隙１ｄ、２ｄとこれらで囲まれた内部空間１５との間に鉄筋と現場打コンクリートで強固に一体化できるような連通部が形成されればよい。しかしこのような窓を設ける場合でも、基礎の上面を平坦にできるように、外壁用Ｕ形枠の内側板の上縁及び内壁用Ｕ形枠の側板の上縁は、外壁用Ｕ形枠の外側板の上縁より低くするのが、現場での施工作業が容易になる点で望ましい。
【図面の簡単な説明】
【００２５】
【図１】この発明の建築基礎の一例を示す部分断面図
【図２】外壁角部に用いる外コーナー枠及び内コーナー枠の一例を示す斜視図
【図３】外壁用Ｕ形枠に内壁用Ｕ形枠が連接する部分の構造例を示す斜視図
【図４】内壁用Ｕ形枠相互が平面Ｔ形に連接する部分の構造例を示す斜視図
【図５】内壁用Ｕ形枠相互が平面十形に連接する部分の構造例を示す斜視図
【符号の説明】
【００２６】
１  外壁用Ｕ形枠
1a  外側板
1b  内側板
1d  外壁用コンクリート充填間隙
2a  両側板
2d  内壁用コンクリート充填間隙
15  内部空間
11  連通部
13  断熱マット
【図１】
2006283449.tif 000003
【図２】
2006283449.tif 000004
【図３】
2006283449.tif 000005
【図４】
2006283449.tif 000006
【図５】
2006283449.tif 000007